(57)【要約】      （修正有）【課題】耕耘爪の固定具としてのナットの緩みを確実に防止することができる耕耘装置を提供する。【解決手段】耕耘軸に設けられた爪ホルダ２０と、爪ホルダ２０に挿入された耕耘爪２６と、耕耘爪２６を固定するための固定具３２と、爪ホルダ２０の開口側を被嵌して装着されたスリーブ部材５２Ａとを備えた耕耘装置。固定具３２は、固定ボルト３４及びナット３８から構成され、爪ホルダ２０の貫通開口４６（頭部収容凹部）に固定ボルト３４の頭部４４を係合収容することにより、爪ホルダ２０に対する固定ボルト３４の相対的回動が阻止され、またスリーブ部材５２Ａのナット収容切欠き７２にナット３８の一部が係合収容されることにより、スリーブ部材５２Ａに対するナット３８の相対的回動が阻止され、これにより、固定具３２による固定状態の緩みを確実に防止する。【選択図】図６
2020080852.tif 000002
【特許請求の範囲】
【請求項１】
耕耘装置本体に回転自在に支持された耕耘軸と、前記耕耘軸に設けられた爪ホルダと、前記爪ホルダに挿入された耕耘爪と、前記爪ホルダに挿入された耕耘爪を固定するための固定具と、前記爪ホルダを被嵌して装着されたスリーブ部材と、を備え、前記固定具は前記耕耘爪及び前記爪ホルダの一部を貫通して装着される固定ボルトと、前記固定ボルトの雄ねじ部に螺着されるナットとから構成され、前記爪ホルダには、前記固定ボルトの頭部の形状に対応する頭部収容凹部が設けられ、前記固定用ボルトの前記頭部が前記頭部収容凹部に収容されることにより、前記爪ホルダに対する前記固定ボルトの相対的回動が阻止され、また前記スリーブ部材には前記ナットの一部の形状に対応するナット収容切欠きが設けられ、前記ナットの前記一部が前記ナット収容切欠きに収容されることにより、前記スリーブ部材に対する前記ナットの相対的回動が阻止されることを特徴とする耕耘装置。
【請求項２】
前記ナットの外形は正六角形状であり、前記スリーブ部材の前記ナット収容切欠きは略半正六角形状又は略半正十二角形状であり、前記ナットの略半分が前記ナット収容切欠きに収容されることを特徴とする請求項１に記載の耕耘装置。
【請求項３】
前記スリーブ部材は、前記爪ホルダにおける前記耕耘軸側に装着され、前記耕耘軸が回転することにより前記スリーブ部材の前記ナット収容切欠きが前記固定具の前記ナットに食込むように作用することを特徴とする請求項１又は２に記載の耕耘装置。
【請求項４】
前記スリーブ部材における、前記耕耘軸の回転方向に対向する一対のスリーブ側壁は、内側に弧状に湾曲して突出しており、前記一対のスリーブ側壁の内側湾曲突部が前記爪ホルダの外面に圧接されることを特徴とする請求項１〜３のいずれかに記載の耕耘装置。
【請求項５】
耕耘装置本体に回転自在に支持された耕耘軸と、前記耕耘軸に設けられた爪ホルダと、前記爪ホルダに挿入された耕耘爪と、前記爪ホルダに挿入された耕耘爪を固定するための固定具と、前記爪ホルダの開口側を被嵌して装着されたスリーブ部材と、を備えることを特徴とする耕耘装置。
【請求項６】
前記固定具は前記耕耘爪及び前記爪ホルダの一部を貫通して挿通される固定ボルトと、前記固定ボルトの雄ねじ部に螺着されるナットとから構成され、前記爪ホルダには、前記固定ボルトの頭部の形状に対応する頭部収容凹部が設けられ、前記スリーブ部材を前記爪ホルダに被嵌した状態では、前記スリーブ部材における、前記耕耘軸の軸方向に対向する一対のホルダ側壁の一方が、前記爪ホルダの前記頭部収容凹部に収容された前記固定ボルトの前記頭部を覆い、また前記一対のスリーブ側壁の他方には、前記ナットの一部を収容するナット収容切欠きが設けられ、前記スリーブ部材を前記爪ホルダに被嵌した状態では、前記ナットの一部が前記ナット収容切欠きに収容されることを特徴とする請求項５に記載の耕耘装置。
【発明の詳細な説明】
【技術分野】
【０００１】
本発明は、トラクタ、耕耘機などに装備されて土地を耕耘する耕耘装置に関する。
【背景技術】
【０００２】
トラクタ、耕耘機などの耕耘作業機は、田畑などの土地を耕耘する耕耘装置を装備している（例えば、特許文献１参照）。この耕耘装置は、耕耘装置本体に回転自在に支持された耕耘軸を備え、この耕耘軸に複数の爪ホルダが設けられ、これら爪ホルダに耕耘爪が取り付けられる。各耕耘爪の取付けは固定具により取り付けられ、この固定具として固定ボルト及びナットが用いられる。例えば、耕耘爪及び爪ホルダの一部を通して固定ボルトを挿通し、爪ホルダから突出する固定ボルトの雄ねじ部にナットを螺着することにより、耕耘爪が爪ホルダに固定される。
【０００３】
このような耕耘装置では、例えば、トラクタ（又は耕耘機）のエンジンからの駆動力が耕耘軸に伝達され、このエンジンからの駆動力により回転駆動される。耕耘軸が回転されると、複数の耕耘爪が回動されて田畑などの土地を耕耘し、トラクタ（又は耕耘機）が走行することにより、この土地全域を耕耘することができる。
【先行技術文献】
【特許文献】
【０００４】
【特許文献１】特開２０１６−１５４５２４号公報
【発明の概要】
【発明が解決しようとする課題】
【０００５】
このような耕耘装置では、次の通りの解決すべき問題がある。即ち、土地の耕耘作業中には、複数の耕耘爪に大きな負荷が作用し、かかる負荷変動により耕耘爪の取付部に振動が加わるようになる。このような振動が繰り返し加わると、耕耘爪を固定していたナットが緩み、爪ホルダに固定されていた耕耘爪に振動が加わり、ナットの緩みが進行するようになる。
【０００６】
このようなナットの緩みが生じると、耕耘爪が爪ホルダ内で振動し、この振動が繰り返し起こると、爪ホルダの開口部に振動負荷が作用して損傷するおそれがある。また、ナットの緩みが更に大きくなると、固定ボルトからナットが外れ、更に固定ボルトも外れて耕作爪が爪ホルダから外れ、耕作作業中にナット、固定ボルト、耕耘爪が耕耘地に落下するおそれがある。
【０００７】
本発明の第１の目的は、耕耘爪の固定具としてのナットの緩みを確実に防止することができる耕耘装置を提供することである。
【０００８】
本発明の第２の目的は、耕耘装置の爪ホルダの開口部の損傷を抑えることができる耕耘装置を提供することである。
【課題を解決するための手段】
【０００９】
本発明の耕耘装置（請求項１）は、上記第１の目的に対応して、耕耘装置本体に回転自在に支持された耕耘軸と、前記耕耘軸に設けられた爪ホルダと、前記爪ホルダに挿入された耕耘爪と、前記爪ホルダに挿入された耕耘爪を固定するための固定具と、前記爪ホルダを被嵌して装着されたスリーブ部材と、を備え、前記固定具は前記耕耘爪及び前記爪ホルダの一部を貫通して装着される固定ボルトと、前記固定ボルトの雄ねじ部に螺着されるナットとから構成され、前記爪ホルダには、前記固定ボルトの頭部の形状に対応する頭部収容凹部が設けられ、前記固定用ボルトの前記頭部が前記頭部収容凹部に収容されることにより、前記爪ホルダに対する前記固定ボルトの相対的回動が阻止され、また前記スリーブ部材には前記ナットの一部の形状に対応するナット収容切欠きが設けられ、前記ナットの前記一部が前記ナット収容切欠きに収容されることにより、前記スリーブ部材に対する前記ナットの相対的回動が阻止されることを特徴とする。
【００１０】
このような耕耘装置においては、ナットの外形を正六角形状にし、スリーブ部材のナット収容切欠きを略半正六角形状又は略半正十二角形状にし、ナットの略半分をナット収容切欠きに収容するようにするのが望ましい。また、このスリーブ部材を爪ホルダにおける耕耘軸側に装着し、耕耘軸が回転することによりスリーブ部材のナット収容切欠きがナットに食込むようにするのが好ましく、更に、スリーブ部材における、耕耘軸の回転方向に対向する一対のスリーブ側壁を、内側に弧状に湾曲して突出させ、一対の回転方向側壁の内側湾曲突部を爪ホルダの外面に圧接されるようにするのが好ましい。
【００１１】
また、本発明の他の耕耘装置（請求項５）は、耕耘装置本体に回転自在に支持された耕耘軸と、前記耕耘軸に設けられた爪ホルダと、前記爪ホルダに挿入された耕耘爪と、前記爪ホルダに挿入された耕耘爪を固定するための固定具と、前記爪ホルダの開口側を被嵌して装着されたスリーブ部材と、を備えることを特徴とする。
【００１２】
このような耕耘装置では、爪ホルダに固定用ボルトの頭部の形状に対応する頭部収容凹部を設け、スリーブ部材を爪ホルダに被嵌した状態では、スリーブ部材における、耕耘軸の軸方向に対向する一対のホルダ側壁の一方により、爪ホルダの頭部収容凹部に収容された固定ボルトの頭部を覆うようにし、また一対の軸方向側壁の他方にナットの一部を収容するナット収容切欠きを設け、スリーブ部材を爪ホルダに被嵌した状態では、ナットの一部をナット収容切欠きに収容するようにするのが好ましい。
【発明の効果】
【００１３】
本発明の耕耘装置によれば、耕耘軸の爪ホルダに挿入された耕耘爪を固定するための固定具が、固定ボルト及びナットから構成され、爪ホルダには、固定ボルトの頭部形状に対応する頭部収容凹部が設けられ、またスリーブ部材にはナットの一部形状に対応するナット収容切欠きが設けられているので、固定具により耕耘爪を固定し且つスリーブ部材を取り付けた状態においては、固定用ボルトの頭部が爪ホルダの頭部収容凹部に収容されるとともに、ナットの一部がスリーブ部材のナット収容切欠きに収容され、これにより、爪ホルダに対する固定ボルトの相対的回動及びスリーブ部材に対するナットの相対的回動が阻止され、その結果、耕耘作業中などにおける固定ボルト及びナットの緩みを確実に防止することができる。
【００１４】
また、本発明の他の耕耘装置によれば、耕耘軸の爪ホルダに挿入された耕耘爪と、爪ホルダに挿入された耕耘爪を固定するための固定具と、爪ホルダの開口側を被嵌して装着されたスリーブ部材とを備えているので、このスリーブ部材が爪ホルダの開口側を補強するようになり、従って、耕耘作業中に耕耘爪からの振動負荷が爪ホルダの開口部に作用してもその損傷を抑えることができる。
【図面の簡単な説明】
【００１５】
【図１】本発明に従う耕耘装置を備えた耕耘作業機の一例としてのトラクタを簡略的に示す側面図。
【図２】図１の耕耘装置の耕耘爪の取付けを説明するための分解部分斜視図。
【図３】図１の耕耘装置における爪ホルダとスリーブ部材を示す部分斜視図。
【図４】図１の耕耘装置において、爪ホルダに耕耘爪及びスリーブ部材を取り付けた状態を示す断面図。
【図５】スリーブ部材の第１の変形形態を用いた例を示す部分斜視図。
【図６】第１の変形形態のスリーブ部材及び耕耘爪を取り付けた状態を示す断面図。
【図７】スリーブ部材の第２の変形形態を用いた例を示す部分斜視図。
【図８】第２の変形形態のスリーブ部材及び耕耘爪を取り付けた状態を示す断面図。
【発明を実施するための形態】
【００１６】
以下、添付図面を参照して、本発明に従う耕耘装置の実施形態について説明する。尚、以下の説明では、この耕耘装置を耕耘作業機としてのトラクタに適用して説明するが、耕耘機その他の耕耘作業機にも同様に適用することができる。
【００１７】
図１において、図示のトラクタ２は、トラクタ本体４を備え、このトラクタ本体４の前部６内にエンジン（図示せず）が搭載され、このエンジンの駆動力で走行する。このトラクタ本体４の後側には耕耘装置８が装備され、エンジンからの駆動力がＰＴＯ軸１０を介して耕耘装置８に駆動伝達される。
【００１８】
次に、図１とともに図２を参照して図示の耕耘装置８について説明すると、この耕耘装置８は、トラクタ本体４の後部に支持機構１２を介して取り付けられた耕耘装置本体１４を備え、この耕耘装置本体１４に耕耘軸１６の両端部が回転自在に支持され、この耕耘軸１６にエンジン（図示せず）からの駆動力がＰＴＯ軸１０を介して伝達され、このＰＴＯ軸１０が例えば矢印１８で示す方向に回転駆動される。
【００１９】
図１とともに図２を参照して、耕耘軸１６は、トラクタ本体４の幅方向（図１において紙面に対して垂直な方向、図２において右下から左上の方向）に延びており、この耕耘軸１６の外周面に複数の爪ホルダ２０が設けられている。これら爪ホルダ２０は、耕耘軸１６の軸方向に間隔を置いて設けられるとともに、その周方向に間隔をおいて設けられる。このような爪ホルダ２０は、矩形状の取付空間２２を有するスリーブ状部材から構成するようにしてもよく、或いは、一対の断面略コ字状部材を突き合わせた状態で溶接してこのようなスリーブ状部材を形成するようにしてもよく、これら爪ホルダ２０は、耕耘軸１６の外周面に例えば溶接などにより固定される。
【００２０】
各爪ホルダ２０の取付空間２２には、耕耘爪２４が例えば後述するようにして取り付けられる。耕耘爪２４の基部２６は、爪ホルダ２０の取付空間２２の形状に対応した形状であり、この基部２６が矢印２８（図２参照）で示すように爪ホルダ２０の取付空間２２に挿入される。この耕耘爪２４の先端側は、田畑などの土地を耕耘するための爪部３０として機能し、この爪部３０は、土地を耕転するのに適した適宜の形状を有している。
【００２１】
耕耘爪２４の各爪ホルダ２０への取付けは、例えば、固定具３２を用いていて行われる。図３及び図４をも参照して、固定具３２は、固定ボルト３４とこの固定ボルト３４の雄ねじ部３６に螺着されるナット３８とから構成されている。固定ボルト３４及びナット３８は、一般的な構成のものであり、その頭部４４の外形は正六角形状であり、またナット３８の外形も正六角形状に形成されており、このことに関連して、更に次の通り構成されている。
【００２２】
各爪ホルダ２０における、耕耘軸１６の軸方向に対応する一対のホルダ側壁４０，４２のうちの一方のホルダ側壁４０には、固定ボルト３４の頭部４４の外形形状（正六角形状）に対応した貫通開口４６（正六角形状）（図４参照）（頭部収容凹部として機能する）が設けられ、この貫通開口４６に固定ボルト３４の頭部４４が係合するように収容され、かく収容された状態においては、固定ボルト３４の爪ホルダ２０に対する相対的回動が阻止される。また、一対のホルダ側壁４０，４２のうち他方のホルダ側壁４２には、円形状の貫通孔４８が設けられ、この貫通孔４８を通して固定ボルト３４の雄ねじ部５０が挿通される。更に、耕耘爪１６の基部２６にも、ホルダ側壁４２の貫通孔４８に対応して貫通孔５０が設けられている。
【００２３】
この実施形態では、爪ホルダ２０を被嵌してスリーブ部材５２が取り付けられる。スリーブ部材５２は、鉄などの金属から形成され、爪ホルダ２０の外形形状に対応した内部空間５４を備え、この内部空間５４内に爪ホルダ２０の先端側が挿入される。このスリーブ部材５２における、耕耘軸１６の軸方向に対応する一対のスリーブ側壁５６，５８の一方のスリーブ側壁５６は、図４に示すように、爪ホルダ２０に装着した状態において爪ホルダ２０のホルダ側壁４０の貫通開口４６を覆うようになる。また、一対のスリーブ側壁５６，５８の他方のスリーブ側壁５８には、ナット３８を収容するためのナット収容切欠き６０が設けられ、爪ホルダ２０に装着した状態において、このナット収容切欠き６０内にスプリングワッシャ６２及びナット３８が収容される。
【００２４】
このような耕耘装置８においては、耕耘爪２４は、例えば、次のようにして取り付けられる。図２〜図４を参照して、耕耘爪２４を取り付けるには、その基部２６側から先端側の爪部３０に向けてスリーブ部材５２を挿入し、かく挿入した状態にて、耕耘爪２４の基部２６を爪ホルダ２０の取付空間２２に挿入する。そして、この挿入状態において、固定ボルト３４の雄ねじ部３６を爪ホルダ２０の一方のホルダ側壁３４の貫通開口４６、耕耘爪２４の貫通孔５０及び他方のホルダ側壁３６の貫通孔４８を通して挿通し、この固定ボルト３４の頭部４４をホルダ側壁３４の貫通開口４６に収容する。
【００２５】
次いで、他方のホルダ側壁３６から突出する固定ボルト３４の雄ねじ部３６にスプリングワッシャ６２を装着した後ナット３８を螺着し、このようにして爪ホルダ２０に耕耘爪２４を固定する。その後、耕耘爪２４側からスリーブ部材５２を移動させて爪ホルダ２０の先端に圧入する。この圧入の際には、スリーブ部材５２を工具（図示せず）などを用いて叩いて圧入し、このようにして耕耘爪２４を所要の通りに取り付けることができる。
【００２６】
この取付状態においては、スリーブ部材５２が爪ホルダ２０の外周面に密着するように取り付けられるので、このスリーブ部材５２が爪ホルダ２０の補強部材として機能し、爪ホルダ２０の開口部の外側への拡がりを拘束し、これにより、爪ホルダ２０の損傷を抑えることができる。また、この取付状態においては、図４に示すように、スリーブ部材５２の一方のスリーブ側壁５６が爪ホルダ２０の貫通開口４６に収容された固定ボルト３４の頭部４４を覆うので、この固定ボルト３４の爪ホルダ２０からの抜けが確実に防止され、その結果、耕耘爪２４が爪ホルダ２０から外れるのを確実に防止することができる。
【００２７】
図５及び図６は、第１の変形形態のスリーブ部材を用いた例を示している。尚、以下の形態において、上述した実施形態と実質上同一の部材には同一の参照番号を付し、その説明を省略する。
【００２８】
図５及び図６において、この第１の変形形態のスリーブ部材５２Ａにおいては、スリーブ部材５２Ａにおける、耕耘軸１６の軸方向に対向する一対のスリーブ側壁５６Ａ，５８Ａのうちの他方のスリーブ側壁５８Ａにナット収容切欠き７２が設けられ、このナット収容切欠き７２は、ナット３８の外形に対応した正六角形状の略半分の形状、即ち略半六角形状に形成されている。このスリーブ部材５２Ａのその他の構成は、上述した実施形態のものと実質上同一である。
【００２９】
このスリーブ部材５２Ａも、上述したと同様に、叩いて爪ホルダ２０の先端側に圧入され、かく圧入した状態では、スリーブ部材５２Ａは爪ホルダ２０の外周面に密着して補強部材として機能する。そして、この圧入状態においては、図６に示すように、スリーブ部材５２Ａの一方のスリーブ側壁５６Ａが爪ホルダ２０の一方のホルダ側壁４０の外側に位置し、一方のホルダ側壁４０の貫通開口４６に収容された固定ボルト３４の頭部４４を覆い、これにより、固定ボルト３４の爪ホルダ２０からの抜けを防止することができる。尚、この収容状態においては、固定ボルト３４の頭部４４は、ホルダ側壁４０の貫通開口４６に係合するように収容されており、従って、上述したと同様に、固定ボルト３４の爪ホルダ２０に対する相対的回動が阻止される。
【００３０】
また、この圧入状態においては、スリーブ部材５２Ａの他方のスリーブ側壁５８Ａのナット収容切欠き７２内にナット３８の略半分が位置し、このナット収容切欠き３８に係合した状態で収容される。従って、このナット３８のスリーブ部材５２Ａ（換言すると、爪ホルダ２０）に対する相対的回動も阻止され、固定具３２（即ち、固定ボルト３４及びナット３８）による固定状態が緩むことがなく、固定ボルト３４、ナット３８及び耕耘爪２４（図２参照）の脱落を確実に防止することができる。
【００３１】
尚、このようにナット３８がスリーブ部材５２Ａのナット収容切欠き７２に係合して収容されるためには、図６に示すように、例えば、スプリングワッシャ６２の外径をナット３８の外形よりも幾分小さくするようにすればよい。
【００３２】
図７及び図８は、第２の変形形態のスリーブ部材を用いた例を示している。図７及び図８において、この第２の変形形態のスリーブ部材５２Ｂにおいては、スリーブ部材５２Ｂにおける、耕耘軸１６の軸方向に対向する一対のスリーブ側壁５６Ｂ，５８Ｂのうちの他方のスリーブ側壁５８Ｂにナット収容切欠き８２が設けられ、このナット収容切欠き８２は、ナット３８の正六角形状の外形に対応した略正十二角形状の略半分の形状、即ち略半十二角形状に形成され、ナット３０が周方向に相対的に３０度回動することにより、このナット３８の略半分はスリーブ側壁５８のナット収容切欠き８２に係合した状態で収容される。
【００３３】
また、この第２の変形形態では、スリーブ部材５２Ｂの耕耘軸１６（図２参照）の回転方向に対向する一対のスリーブ側壁８４，８６は、弧状に湾曲して内側に突出し、かかる突出先端部が爪ホルダ２０の外面に圧接されるように構成されており、このように構成することにより、一対のスリーブ側壁８４，８６の全域が爪ホルダ２０の外面に密着することがなく、これにより、スリーブ部材５２Ｂの爪ホルダ２０への錆付きなどを抑え、スリーブ部材５２Ｂの爪ホルダ２０からの取外しを容易にすることができる。
【００３４】
このスリーブ部材５２Ａも、第１の変形形態と同様に、叩いて爪ホルダ２０の先端側に圧入され、かく圧入した状態では、スリーブ部材５２Ｂの一対のスリーブ側壁５６Ｂ，５８Ｂは爪ホルダ２０の外周面に密着して補強部材として機能する。そして、この圧入状態においては、図８に示すように、スリーブ部材５２Ｂの一方のスリーブ側壁５６Ｂが爪ホルダ２０の一方のホルダ側壁４０の外側に位置し、第１の変形形態と同様に、固定ボルト３４の爪ホルダ２０からの抜けを防止することができる。尚、この収容状態においては、固定ボルト３４の頭部４４は、ホルダ側壁４０の貫通開口４６に係合した状態で収容されるために、固定ボルト３４の爪ホルダ２０に対する相対的回動が阻止される。
【００３５】
また、この圧入状態においては、第１の変形形態と同様に、スリーブ部材５２Ｂの他方のスリーブ側壁５８Ｂのナット収容切欠き８２内にナット３８の略半分が位置し、このナット収容切欠き３８に係合した状態で収容される。従って、このように構成した場合においても、このナット３８のスリーブ部材５２Ｂに対する相対的回動も阻止され、固定具３２（即ち、固定ボルト３４及びナット３８）による固定状態が緩むことがない。
【００３６】
尚、この第２の変形形態では、スプリングワッシャ６２の外径がナット３８の外形よりも幾分大きくなっており、このような場合、上述したようにナット３８がスリーブ部材５２Ｂのナット収容切欠き８２に係合するように収容されるためには、図８に示すように、例えば、スプリングワッシャ６２の外周部を収容するための環状収容凹部８８を他方のスリーブ側壁５８Ｂのナット収容切欠き８２の周縁部内面に設けるようにすればよい。
【００３７】
以上、本発明に従う耕耘装置の実施形態について説明したが、本発明はかかる実施形態に限定されるものではなく、本発明の範囲を逸脱することなく種々の変更乃至修正が可能である。
【００３８】
例えば、上述した第１及び第２の変形形態では、スリーブ部材５２Ａ，５２Ｂを爪ホルダ２０の先端側（即ち、開口側）に装着しているが、このような構成に代えて、この爪ホルダ２０の基部側、即ち耕耘軸１６側に装着するようにしてもよい。この場合、耕耘爪３０の取付は、例えば、爪ホルダ２０の基部側にスリーブ部材５２Ａ，５２Ｂを装着し、次いで爪ホルダ２０に耕耘爪３０の基部２６を挿入した後に固定具３２でもって耕耘爪３０を爪ホルダ２０に固定し、しかる後、スリーブ部材５２Ａ，５２Ｂを爪ホルダ２０の先端側に移動させてそのナット収容切欠き７２，８２をナット３８に係合させればよい。
スリーブ部材５２Ａ，５２Ｂをこのように爪ホルダ２０の基部側（耕耘軸１６側）に取り付けた場合、耕耘軸１６の回転によってスリーブ部材５２Ａ，５２Ｂに遠心力が作用し、この遠心力によりスリーブ部材５２Ａ，５２Ｂのナット収容切欠き７２，８２がナット３８に食込むように作用し、これにより、スリーブ部材５２Ａ，５２Ｂのナット収容切欠き７２，７８とナット３８との係合状態が外れるのを防ぐことができる。
【符号の説明】
【００３９】
２  トラクタ
８  耕耘装置
１６  耕耘軸
２０  爪ホルダ
２４  耕耘爪
３２  固定具
３４  固定ボルト
３８  ナット
４０，４２  ホルダ側壁
４４  貫通開口（頭部収容凹部）
５２，５２Ａ，５２Ｂ  スリーブ部材
５６，５６Ａ，５６Ｂ，５８，５８Ａ，５８Ｂ，８４，８６  スリーブ側壁
６０，７２，８２  ナット収容切欠き
【図１】
2020080852.tif 000003
【図２】
2020080852.tif 000004
【図３】
2020080852.tif 000005
【図４】
2020080852.tif 000006
【図５】
2020080852.tif 000007
【図６】
2020080852.tif 000008
【図７】
2020080852.tif 000009
【図８】
2020080852.tif 000010